(57)【要約】【課題】一つの冷却ファンを用いて熱源である第１基板と第２基板を同時にかつ効率よく冷却することができる電子機器の放熱構造を提供する。【解決手段】電子機器は、本体ユニット２００と、本体ユニット２００の側面と略平行に配置され、熱源となる第１基板９０１と、本体ユニット２００の側面と直交する端面に配置され、熱源となる第２基板２０７と、吸気口９０２ｃ，９０２ｄを有し、第１基板９０１を冷却する流路が形成された第１ダクト９０２と、吸気口４１０および排気口４１１を有し、第２基板２０７を冷却する流路が形成された第２ダクト４０１と、第１ダクト９０２に取り付けられ、第１ダクト９０２の流路に流入した空気を排気する排気口９０４ａを有する冷却ファン９０４と、を備える。第１ダクト９０２には、第２ダクト４０１の排気口４１１と接続され、排気口４１１からの空気を第１ダクト９０２の流路に流入させる開口部９０５が設けられている。【選択図】図１０
2019009552.tif 000002
【特許請求の範囲】
【請求項１】
本体ユニットと、
前記本体ユニットの側面と略平行に配置され、熱源となる第１基板と、
前記本体ユニットの前記側面と交差する面に配置され、熱源となる第２基板と、
吸気口を有し、前記第１基板を冷却する流路が形成された第１ダクトと、
吸気口および排気口を有し、前記第２基板を冷却する流路が形成された第２ダクトと、
前記第１ダクトに取り付けられ、前記第１ダクトの流路に流入した空気を排気する排気口を有する冷却ファンと、を備え、
前記第１ダクトには、前記第２ダクトの前記排気口と接続され、前記第２ダクトの前記排気口からの空気を前記第１ダクトの流路に流入させる開口部が設けられていることを特徴とする電子機器。
【請求項２】
前記冷却ファンは、前記第１基板に対して回転軸が略直交するように前記第１ダクトに取り付けられ、前記開口部は、前記回転軸を挟んで、前記第１ダクトの前記吸気口の側とは反対側に設けられていることを特徴とする請求項１に記載の電子機器。
【請求項３】
前記第２ダクトの前記排気口と前記開口部とは、前記第１ダクトおよび前記第２ダクトより熱伝達率の低い弾性部材を介して接触することを特徴とする請求項１又は２に記載の電子機器。
【請求項４】
前記第１ダクトの流路には、前記冷却ファンより前記第１ダクトの前記吸気口の側に放熱フィンが形成され、前記冷却ファンは、前記放熱フィンの高さより低い位置に配置されていることを特徴とする請求項１乃至３のいずれか一項に記載の電子機器。
【請求項５】
前記第１ダクトは、前記放熱フィンの配置されている領域と配置されていない領域との流路断面積が略同一になるように形成されていることを特徴とする請求項４の電子機器。
【請求項６】
前記第２基板には、撮像素子が実装されていることを特徴とする請求項１乃至５のいずれか一項に記載の電子機器。
【請求項７】
ユーザが把持するグリップ部を有し、前記グリップ部の内部には、前記冷却ファンを含む前記第１ダクトが配置されていることを特徴とする請求項６に記載の電子機器。
【発明の詳細な説明】
【技術分野】
【０００１】
本発明は、例えばデジタルカメラやデジタルビデオカメラ等の撮像装置を含む電子機器の放熱構造に関する。
【背景技術】
【０００２】
デジタルビデオカメラ等の電子機器では、近年の撮像素子の高画素化に伴い消費電力が増大し、撮像素子に対するより高い放熱効果を持った構造が求められている。例えば、ファンと送風ダクトで形成された空気循環路によって撮像素子の熱をカメラ本体内に循環させ、更に空気循環路の一部を放熱部材で形成して放熱部材に伝達された熱をカメラ本体に設けた貫通穴を介して外気に放熱する構造が提案されている（特許文献１）。
【先行技術文献】
【特許文献】
【０００３】
【特許文献１】特開２００９−７１７２２号公報
【発明の概要】
【発明が解決しようとする課題】
【０００４】
ところで、カメラ本体内の撮像素子とメイン基板の両方を冷却することを考えた場合、カメラ本体の小型化やコスト削減の観点から一つのファンのみを用いて撮像素子とメイン基板を同時に冷却できることが望ましい。しかし、撮像素子とメイン基板のいずれか片方のみを一つのファンで冷却する場合と比べて放熱効果が低下する為、撮像素子とメイン基板の両方を一つのファンで同時に冷却するためには、より放熱効率の高い構造が求められる。
【０００５】
本発明は、このような技術的要請に応えてなされたものであり、一つの冷却ファンを用いて熱源である第１基板と第１基板が配置された面と交差する面に配置された第２基板を同時にかつ効率よく冷却することができる電子機器の放熱構造を提供することを目的とする。
【課題を解決するための手段】
【０００６】
上記目的を達成するために、本発明の電子機器は、本体ユニットと、前記本体ユニットの側面と略平行に配置され、熱源となる第１基板と、前記本体ユニットの前記側面と交差する面に配置され、熱源となる第２基板と、吸気口を有し、前記第１基板を冷却する流路が形成された第１ダクトと、吸気口および排気口を有し、前記第２基板を冷却する流路が形成された第２ダクトと、前記第１ダクトに取り付けられ、前記第１ダクトの流路に流入した空気を排気する排気口を有する冷却ファンと、を備え、前記第１ダクトには、前記第２ダクトの前記排気口と接続され、前記第２ダクトの前記排気口からの空気を前記第１ダクトの流路に流入させる開口部が設けられていることを特徴とする。
【発明の効果】
【０００７】
本発明によれば、一つの冷却ファンを用いて熱源である第１基板と第１基板が配置された面と交差する面に配置された第２基板とを同時にかつ効率よく冷却することができる電子機器の放熱構造を提供することができる。
【図面の簡単な説明】
【０００８】
【図１】（ａ）は本発明の電子機器の実施形態の一例であるデジタルビデオカメラを背面側から見た斜視図、（ｂ）は（ａ）に示すデジタルビデオカメラを正面側から見た斜視図である。
【図２】図１（ａ）に示すデジタルビデオカメラにバッテリを取り付けた状態を示す斜視図である。
【図３】（ａ）はデジタルビデオカメラの内部構造を背面側から見た斜視図、（ｂ）はデジタルビデオカメラの内部構造を正面側から見た斜視図である。
【図４】図３（ａ）の部分拡大図である。
【図５】撮像ユニットの角度調整方法を説明する図である。
【図６】（ａ）はセンサユニットが取り付けられたカメラ筐体に対してホルダ板金及びセンサダクトユニットを取り付けた状態を示す斜視図、（ｂ）はセンサダクトユニットの分解斜視図である。
【図７】図６（ａ）の背面図である。
【図８】図７のＰ−Ｐ線断面拡大図である。
【図９】図６の状態から更にメイン基板、メインダクト、メインダクト蓋、及び冷却ファンを取り付ける状態を示す分解斜視図である。
【図１０】（ａ）は図９の組立体を矢印Ｘ方向から見た図、（ｂ）は（ａ）のＱ−Ｑ線断面図である。
【発明を実施するための形態】
【０００９】
以下、図面を参照して、本発明の実施形態の一例を説明する。
【００１０】
図１（ａ）は本発明の電子機器の実施形態の一例であるデジタルビデオカメラを背面側から見た斜視図、図１（ｂ）は図１（ａ）に示すデジタルビデオカメラを正面側から見た斜視図である。図２は、図１（ａ）に示すデジタルビデオカメラにバッテリを取り付けた状態を示す斜視図である。なお、図において、Ｚは、光軸を示しており、被写体側（正面側）を＋Ｚ方向、撮影者側（背面側）を−Ｚ方向として説明する。また、本実施形態では、本発明の電子機器として、撮像装置の一例であるデジタルビデオカメラを例示しているが、これに限定されない。
【００１１】
図１に示すように、本実施形態のデジタルビデオカメラ１００（以下、カメラ１００という。）は、正面側にレンズ部３００が配置され、レンズ部の外周部３００には、マニュアルフォーカス等の操作が可能な操作リング１０３が設けられている。カメラ１００の背面側から見て左側の側部には、ＬＣＤ等からなる表示部１０１が開閉可能に支持されている。カメラ筐体２００は、本発明の本体ユニットの一例に相当する。
【００１２】
カメラ１００の背面側には、ファインダ部１０２、バッテリ室１０４、バッテリリリーススイッチ１０５、バッテリ取り付けガイド１０６ａ，１０６ｂ、バッテリ室吸気口１０７、及びバッテリロック部１１３ａ，１１３ｂが設けられている。なお、バッテリ取り付けガイド１０６ａ，１０６ｂは、図示は省略するが、バッテリ室１０４内で対向する側にも同様のものが設けられている。
【００１３】
カメラ１００を正面側から見て左側の側部には、ユーザが把持するグリップ部１１４が設けられ、グリップ部１１４の正面側にはメイン吸気口１０８ａ，１０８ｂが設けられ、グリップ部１１４の背面側には排気口１０９が設けられている。また、カメラ１００の上面部において、正面側にはマイク部１１０が設けられ、背面側にはズームキー１１１が設けられている。
【００１４】
カメラ１００は、バッテリ室吸気口１０７において矢印Ａ方向から外気を吸気し、メイン吸気口１０８ａ，１０８ｂにおいて矢印Ｂ，Ｃ方向から外気を吸気し、排気口１０９において矢印Ｄ方向へと排気することにより、カメラ１００内部を冷却する。
【００１５】
バッテリロック部１１３ａ，１１３ｂは、通常状態では、不図示の弾性部材により−Ｚ方向に付勢され、バッテリ室１０４から突出している。バッテリリリーススイッチ１０５は、＋Ｚ方向に操作可能なスライドスイッチであり、また、バッテリリリーススイッチ１０５とバッテリロック部１１３ａ，１１３ｂは一体化されている。このため、バッテリリリーススイッチ１０５のスライド操作とともに、バッテリロック部１１３ａ，１１３ｂをバッテリ室１０４から突出しない位置に引っ込ませることができる。
【００１６】
図２に示すように、バッテリ１１２は、バッテリ室１０４に着脱可能に装着される。かかる装着状態においては、バッテリ１１２に設けられた不図示の爪部がバッテリ室１０４内に設けられたバッテリ取り付けガイド１０６ａ，１０６ｂに係合することによりバッテリ１１２の−Ｚ方向への移動が規制される。
【００１７】
また、バッテリ室１０４から突出したバッテリロック部１１３ａ，１１３ｂがバッテリ１１２の底面部１１２ａを支えることにより抜け止めとなって、バッテリ１１２がバッテリ室１０４に保持される。この状態（図２）では、バッテリ室吸気口１０７は外観に露出しているため、バッテリ１１２の装着状態においても、バッテリ室吸気口１０７からの外気の吸気が可能である。
【００１８】
次に、図３及び図４を参照して、カメラ１００の内部構造について説明する。図３（ａ）はカメラ１００の内部構造を背面側から見た斜視図、図３（ｂ）はカメラ１００の内部構造を正面側から見た斜視図である。図４は、図３（ａ）の部分拡大図である。
【００１９】
図３に示すように、カメラ筐体２００には、後述するホルダ板金５００（図７参照）をビス止めする為のホルダ取り付けボス２０１ａ〜２０１ｋ、及びセンサ取り付けボス２０２ａ〜２０２ｃが設けられている。図４に示すように、センサ取り付けボス２０２ａ〜２０２ｃの外側には、センサ取り付けボス２０２ａ〜２０２ｃの外形より一回り大きい同心円状の凹形状部２１８ａ〜２１８ｃが設けられている。凹形状部２１８ａ〜２１８ｃには、調整コイルバネ２１６ａ〜２１６ｃがセンサ取り付けボス２０２ａ〜２０２ｃの外形に沿って嵌るように取り付けられる。
【００２０】
また、カメラ筐体２００の背面側の端面には、撮像ユニット２６０が、カメラ筐体２００に設けられた位置決めピン２０３ａ，２０３ｂにセンサ取り付け板金２０８の位置決め穴２１０ａ，２１０ｂを嵌め込んで位置決めされた状態で取り付けられる。センサ取り付け板金２０８には、センサ基板２０７に実装された撮像素子２０６が接着剤等により固定されて一体化される。センサ基板２０７は、本発明の熱源となる第２基板の一例に相当する。
【００２１】
また、センサ基板２０７に実装された接続コネクタ２１７は、後述するメイン基板９０１（図９参照））に電気的に接続され、撮像素子２０６から得た画像情報をメイン基板９０１へと送ることができる。センサ基板２０７の撮像素子２０６と反対側の面は、一部が銅箔露出部２１２となっており、この銅箔露出部２１２には、銅箔露出部２１２より一回り小さい熱伝導粘着部材２１３が貼り付けられている。熱伝導粘着部材２１３には、放熱フィン２１４のフランジ面が貼り付けられ、これにより、放熱フィン２１４は熱伝導粘着部材２１３を介して銅箔露出部２１２と熱接続され、センサ基板２０７で発生した熱が放熱フィン２１４へと伝熱される。
【００２２】
また、カメラ筐体２００に取り付けられた撮像ユニット２６０は、調整ビス２１５ａ〜２１５ｃをセンサ取り付け板金２０８の貫通穴２０９ａ〜２０９ｃを挿入してセンサ取り付けボス２０２ａ〜２０２ｃに締結することにより、仮固定される。そして、この状態で撮像ユニット２６０の角度調整を行った後、接着剤等により撮像ユニット２６０がカメラ筐体２００に本固定される。
【００２３】
次に、図５を参照して、撮像ユニット２６０の角度調整方法について説明する。て説明する。図５（ａ）は撮像ユニット２６０を仮固定した状態でのカメラ筐体２００の背面図、図５（ｂ）は図５（ａ）のＭ−Ｍ線断面拡大図、図５（ｃ）は撮像ユニット２６０の角度調整時の図５（ａ）のＭ−Ｍ線断面拡大図である。
【００２４】
図５（ｂ）の状態では、撮像ユニット２６０は、調整コイルバネ２１６ａにより−Ｚ方向の付勢力を受けている。この状態で調整ビス２１５ａを緩めると、調整コイルバネ２１６ａの付勢力によって撮像ユニット２６０もその分押し上げられ、図５（ａ）で示す調整ビス２１５ｂ，２１５ｃで支持された部分（Ｎ軸）を中心とした傾きが生じ、図５（ｃ）に示す状態になる。
【００２５】
同様にして、調整ビス２１５ｂ，２１５ｃを緩めると、調整コイルバネ２１６ｂ，２１６ｃの付勢力により、撮像ユニット２６０がその分押し上げられて傾きが生じる。このようにして、調整ビス２１５ａ〜２１５ｃの緩み量を各々調整することにより、撮像ユニット２６０を任意の位置及び姿勢へ調整することが可能となる。
【００２６】
図６（ａ）は撮像ユニット２６０が取り付けられたカメラ筐体２００に対してホルダ板金５００及びセンサダクトユニット４００を取り付けた状態を示す斜視図、図６（ｂ）はセンサダクトユニット４００の分解斜視図である。
【００２７】
図６（ａ）に示すように、カメラ筐体２００のホルダ取り付けボス２０１ａ〜２０１ｋ（図３参照）に対応する位置にホルダ板金５００がビス５０１ａ〜５０１ｋ（ビス５０１ｇ〜５０１ｋは不図示）によって取り付けられている。また、センサダクトユニット４００は、ホルダ板金５００に対して撮像ユニット２６０を覆うようにビス６０１ａ〜６０１ｃによって取り付けられている。
【００２８】
センサダクトユニット４００は、図６（ｂ）に示すように、センサダクト４０１、センサダクト蓋４０２、弾性部材４０４、吸気口弾性部材４１２、及び排気口弾性部材４１３を有し、センサダクト蓋４０２には、開口部４０３が設けられている。開口部４０３は、組立状態において放熱フィン２１４のフィン部２１４ｂの先端を挿入可能な開口面積が確保されている。弾性部材４０４は、不図示の両面テープ等を介してセンサダクト蓋４０２に貼り付けられる。センサダクト４０１は、本発明の第２ダクトの一例に相当する。
【００２９】
また、弾性部材４０４の開口部４０７の開口面積は、センサダクト蓋４０２の開口部４０３よりも大きくなっている。センサダクト４０１とセンサダクト蓋４０２は、ビス４０６ａ〜４０６ｂがセンサダクト蓋４０２の貫通穴４０８ａ〜４０８ｂを通ってボス４０９ａ〜４０９ｂで締結されることにより一体化される。
【００３０】
また、センサダクト４０１には、吸気口４１０と排気口４１１が設けられ、吸気口４１０と排気口４１１には、それぞれ例えばスポンジ等の熱伝達率の低い吸気口弾性部材４１２と排気口弾性部材４１３が不図示の両面テープ等により貼り付けられている。なお、吸気口４１０は、バッテリ室吸気口１０７に対応している。
【００３１】
次に、図７及び図８を参照して、センサダクトユニット４００を用いた撮像ユニット２６０の放熱構造について説明する。図７は、図６（ａ）の背面図である。図８（ａ）は、図７のＰ−Ｐ線断面拡大図である。
【００３２】
図８（ａ）に示すように、センサダクト４０１は、放熱フィン２１４とＺ方向に対向し、フィン部２１４ｂの先端との隙間を確保するために凹形状とした領域である凹面部４０１ａと、それ以外の領域である平面部４０１ｂとを有する。フィン部２１４ｂから凹面部４０１ａまでの距離ｈ０は、撮像ユニット２６０の角度調整によるフィン部２１４ｂの先端の移動や衝撃等による凹面部４０１ａの変形等によりフィン部２１４ｂと凹面部４０１ａとが接触しないよう十分な距離が確保されている。
【００３３】
また、放熱フィン２１４のフランジ面２１４ａとセンサダクト蓋４０２との間では、弾性部材４０４がチャージされた状態で組み付けられている。弾性部材４０４のチャージ量は、撮像ユニット２６０が前述した角度調整に伴って±Ｚのどちらの方向に移動したとしても、外部に対する密閉性が保たれるよう十分に確保されている。
【００３４】
センサダクトユニット４００は、図７に示すように、吸気口４１０において、バッテリ室吸気口１０７（図１（ａ）参照）と吸気口弾性部材４１２を介して接続されている。この為、バッテリ室吸気口１０７から吸気された空気は、吸気口４１０へ図７の矢印Ｅ方向に流入し、途中で放熱フィン２１４を通過してセンサ基板２０７の熱を奪い、そのまま矢印の方向に沿って流れて、排気口４１１から矢印Ｆ方向へ排気される。
【００３５】
なお、図８（ｂ）に示すように、平面部４０１ｃを全体的に放熱フィン２１４から離すと、流入空気がフィン部２１４ｂの領域を通過する際に、通風抵抗差によりフィン部２１４ｂの間よりフィン部２１４ｂの先端と平面部４０１ｃの間の領域で多く流れてしまう。これに対して、図８（ａ）に示すように、凹面部４０１ａを設けることによって空気の流れが限定され、より放熱フィン２１４のフィン部２１４ｂに積極的に空気をあてることができる。
【００３６】
また、図８（ｃ）に示すように、センサダクト４０１に対して凹面部４０１ａの領域と放熱フィン２１４との間で空気の流れを妨げる、例えば空気の流れ方向と直交する方向にリブ４０１ｄを形成すると、図８（ａ）に比べ距離ｈ０の領域に空気が流れにくくなる。このため、積極的に放熱フィン２１４のフィン部２１４ｂに空気をあてることができる。
【００３７】
なお、フィン部２１４ｂとリブ４０１ｄの光軸方向に直交する距離ｈ１についても、前述したように、撮像ユニット２６０の角度調整によるフィン部２１４ｂの先端の移動や衝撃等による凹面部４０１ａの変形等を考慮し、十分距離を確保することが望ましい。
【００３８】
次に、図９及び図１０を参照して、メインダクト９０２を用いたメイン基板９０１の放熱構造について説明する。図９は、図６の状態から更にメイン基板９０１、メインダクト９０２、メインダクト蓋９０３、及び冷却ファン９０４を取り付ける状態を示す分解斜視図である。図１０（ａ）は図９の組立体を矢印Ｘ方向から見た図、図１０（ｂ）は図１０（ａ）のＱ−Ｑ線断面図である。なお、図１０（ａ）では、説明の便宜上、メインダクト蓋９０３の図示は省略している。
【００３９】
図９に示すように、メイン基板９０１は、カメラ筐体２００の側面に略平行、すなわちセンサ基板２０７が配置された平面に対して略直角に交差する平面上に配置されている。メイン基板９０１のホルダ板金５００に面する側は、不図示の伝熱性弾性部材を介してホルダ板金５００と熱接続される。また、メイン基板９０１のメインダクト９０２に面する側は、同様に、不図示の伝熱性弾性部材を介してメインダクト９０２と熱接続される。
【００４０】
これにより、メイン基板９０１で発生した熱は、ホルダ板金５００を介してカメラ１００内部に拡散される経路と、メインダクト９０２を介して強制空冷により外部に排気される経路との２通りの経路により放熱される。また、ホルダ板金５００を介してカメラ１００内部に熱を拡散する効果をより高める為、ホルダ板金５００は、例えばアルミ合金等の熱伝達率の高い材料を用い、かつ出来る限りカメラ筐体２００の周囲を取り囲むようにして面積が多くとられている。メイン基板９０１は、本発明の熱源となる第１基板の一例に相当し、メインダクト９０２は、本発明の第１ダクトの一例に相当する。
【００４１】
メインダクト９０２は、放熱フィン９０２ａと、メイン基板９０１に略平行でかつ放熱フィン９０２ａの形成されている平面部９０２ｂ（図１０（ｂ））とを有する。メインダクト蓋９０３は、図１０（ｂ）に示すように、冷却ファン９０４との間に空気を流すための開口部９０３ａ、放熱フィン９０２ａと対向する平面部９０３ｂ、及びメインダクト９０２の放熱フィン９０２ａのない領域と対向する平面部９０３ｃとを有する。なお、冷却ファン９０４は、例えば遠心ファンにより構成される。また、冷却ファン９０４は、メイン基板に対して回転軸Ｐが略直交するようにメインダクト９０２に取り付けられている。
【００４２】
ここで、メインダクト９０２の平面部９０２ｂからメインダクト蓋９０３の平面部９０３ｂまでの距離（放熱フィン９０２ａの高さ）をｈ２、平面部９０２ｂからメインダクト蓋９０３の平面部９０３ｃまでの距離をｈ３とする。
【００４３】
メインダクト９０２内の空気の流れは、まず図１０（ｂ）に示す矢印Ｂ方向及び矢印Ｃ方向から吸気口９０２ｃ，９０２ｄを介して吸気され、吸気された空気は、平面部９０２ｂと平面部９０３ｂの間の空間を通過する。平面部９０２ｂと平面部９０３ｂの間の空間を通過する空気は、放熱フィン９０２ａから熱を奪い、平面部９０２ｂと平面部９０３ｃの間の空間を通過し、冷却ファン９０４へと流れて排気口９０４ａから矢印Ｄ方向へ排気される。吸気口９０２ｃ，９０２ｄは、図１（ｂ）の吸気口１０８ａ，１０８ｂに対応し、排気口９０４ａは、図１（ｂ）の排気口１０９に対応している。
【００４４】
ところで、空気の通風抵抗は、主に流路の断面積で決まるため、放熱フィン９０２ａの配置されている領域は、放熱フィン９０２ａの断面積分流路が狭くなる。このため、放熱フィン９０２ａの配置されている領域と配置されていない領域の流路断面積を同一とすると、放熱フィン９０２ａの配置されていない領域は、放熱フィン９０２ａの断面積分高さ方向の寸法を抑えることができる（ｈ２−ｈ３）。
【００４５】
この結果、冷却ファン９０４を光軸に近づけて、換言すると、放熱フィン９０２ａより低い位置に配置することができ、冷却ファン９０４を含むメインダクト９０２の小型化が可能となる。また、冷却ファン９０４を含むメインダクト９０２の放熱構造が小型化されてグリップ部１１４の内部に配置されると、グリップ部１１４を光軸に近づけることができ、カメラ１００の重心位置とグリップ部１１４が近づき、持ちやすさが向上する。
【００４６】
また、メインダクト９０２には、センサダクトユニット４００の排気口４１１と接続するためのダクト接続開口部９０５が設けられている。ダクト接続開口部９０５は、図１０（ｂ）の矢印Ｂ方向及び矢印Ｃ方向から冷却ファン９０４へと流れていく空気の流れに対して、冷却ファン９０４の回転軸Ｐを挟んで反対側に配置されている。これにより、矢印Ｂ方向及び矢印Ｃ方向から冷却ファン９０４に向かう空気の流れと、センサダクトユニット４００の排気口４１１から冷却ファン９０４へ向かう矢印Ｆ方向の空気の流れが互いを邪魔することなく冷却ファン９０４へと導かれる。この為、効率よく２方向からの空気の流れを合流させて排気することが可能となる。
【００４７】
また、放熱フィン９０２ａを通過して暖められた空気は、冷却ファン９０４へと流れていくため、冷却ファン９０４を挟んで放熱フィン９０２ａと反対側にあるダクト接続開口部９０５の方には流れにくい。更に、排気口４１１とダクト接続開口部９０５とはメインダクト９０２及びセンサダクト４０１より熱伝導率の低い排気口弾性部材４１３を介してのみ接触している。この為、メインダクト９０２の熱がダクト接続開口部９０５を介してセンサダクトユニット４００の方へと伝わるのを最小限に抑えることができる。
【００４８】
以上説明したように、本実施形態では、矢印Ｂ，Ｃ方向から冷却ファン９０４に向かう空気の流れと、センサダクトユニット４００の排気口４１１から冷却ファン９０４へ向かう矢印Ｆ方向の空気の流れが互いを邪魔することなく冷却ファン９０４へと導かれる。この為、効率よく２方向からの空気の流れを合流させて排気することが可能となり、一つの冷却ファン９０４を用いて撮像素子２０６とメイン基板９０１を同時にかつ効率よく冷却することができる。
【００４９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５０】
１００  カメラ
２００  カメラ筐体
２０７  センサ基板
４０１  センサダクト
４１０  吸気口
４１１  排気口
９０１  メイン基板
９０２  メインダクト
９０２ｃ，９０２ｄ  吸気口
９０４  冷却ファン
９０４ａ  排気口
９０５  ダクト接続開口部
【図１】
2019009552.tif 000003
【図２】
2019009552.tif 000004
【図３】
2019009552.tif 000005
【図４】
2019009552.tif 000006
【図５】
2019009552.tif 000007
【図６】
2019009552.tif 000008
【図７】
2019009552.tif 000009
【図８】
2019009552.tif 000010
【図９】
2019009552.tif 000011
【図１０】
2019009552.tif 000012
【手続補正書】
【提出日】平成30年5月8日(2018.5.8)
【手続補正１】
【補正対象書類名】明細書
【補正対象項目名】０００６
【補正方法】変更
【補正の内容】
【０００６】
上記目的を達成するために、本発明の電子機器は、本体ユニットと、前記本体ユニットの側面と略平行に配置され、熱源となる第１基板と、前記本体ユニットの前記側面と交差する面に配置され、熱源となる第２基板と、第１の吸気口を有し、前記第１基板を冷却する流路が形成された第１ダクトと、第２の吸気口および第１の排気口を有し、前記第２基板を冷却する流路が形成された第２ダクトと、前記第１ダクトに取り付けられ、前記第１ダクトの流路に流入した空気を排気する第２の排気口を有する冷却ファンと、を備え、前記第１ダクトには、前記第２ダクトの前記第１の排気口と接続され、前記第２ダクトの前記第１の排気口からの空気を前記第１ダクトの流路に流入させる開口部が設けられていることを特徴とする。
また、本発明の撮像装置は、本体ユニットと、前記本体ユニットの側面と略平行に配置された第１基板と、前記第１基板と交差する面に配置された第２基板と、前記第１基板と当接するように配置された第１ダクトと、前記第１ダクトと接続され、前記第２基板と当接するように配置された第２ダクトと、前記第１ダクトに取り付けられた冷却ファンと、を備えることを特徴とする。
また、本発明の撮像装置は、本体ユニットと、前記本体ユニットの側面と略平行に配置された第１基板と、前記第１基板と当接するように配置された第１ダクトと、前記第１基板に対して回転軸が略直交するように前記第１ダクトに取り付けられた冷却ファンと、を備えることを特徴とする。
【手続補正２】
【補正対象書類名】特許請求の範囲
【補正対象項目名】全文
【補正方法】変更
【補正の内容】
【特許請求の範囲】
【請求項１】
本体ユニットと、
前記本体ユニットの側面と略平行に配置され、熱源となる第１基板と、
前記本体ユニットの前記側面と交差する面に配置され、熱源となる第２基板と、
第１の吸気口を有し、前記第１基板を冷却する流路が形成された第１ダクトと、
第２の吸気口および第１の排気口を有し、前記第２基板を冷却する流路が形成された第２ダクトと、
前記第１ダクトに取り付けられ、前記第１ダクトの流路に流入した空気を排気する第２の排気口を有する冷却ファンと、を備え、
前記第１ダクトには、前記第２ダクトの前記第１の排気口と接続され、前記第２ダクトの前記第１の排気口からの空気を前記第１ダクトの流路に流入させる開口部が設けられていることを特徴とする電子機器。
【請求項２】
前記冷却ファンは、前記第１基板に対して回転軸が略直交するように前記第１ダクトに取り付けられ、前記開口部は、前記回転軸を挟んで、前記第１ダクトの前記第１の吸気口の側とは反対側に設けられていることを特徴とする請求項１に記載の電子機器。
【請求項３】
前記第２ダクトの前記第１の排気口と前記開口部とは、前記第１ダクトおよび前記第２ダクトより熱伝達率の低い弾性部材を介して接触することを特徴とする請求項１又は２に記載の電子機器。
【請求項４】
前記第１ダクトの流路には、前記冷却ファンより前記第１ダクトの前記第１の吸気口の側に放熱フィンが形成され、前記冷却ファンは、前記放熱フィンの高さより低い位置に配置されていることを特徴とする請求項１乃至３のいずれか一項に記載の電子機器。
【請求項５】
前記第１ダクトは、前記放熱フィンの配置されている領域と配置されていない領域との流路断面積が略同一になるように形成されていることを特徴とする請求項４の電子機器。
【請求項６】
前記第２基板には、撮像素子が実装されていることを特徴とする請求項１乃至５のいずれか一項に記載の電子機器。
【請求項７】
ユーザが把持するグリップ部を有し、前記グリップ部の内部には、前記冷却ファンを含む前記第１ダクトが配置されていることを特徴とする請求項６に記載の電子機器。
【請求項８】
本体ユニットと、
前記本体ユニットの側面と略平行に配置された第１基板と、
前記第１基板と交差する面に配置された第２基板と、
前記第１基板と当接するように配置された第１ダクトと、
前記第１ダクトと接続され、前記第２基板と当接するように配置された第２ダクトと、
前記第１ダクトに取り付けられた冷却ファンと、を備えることを特徴とする撮像装置。
【請求項９】
前記第１ダクトは前記第１基板と略平行に配置され、前記第２ダクトは前記第２基板と略平行に配置されることを特徴とする請求項８に記載の撮像装置。
【請求項１０】
本体ユニットと、
前記本体ユニットの側面と略平行に配置された第１基板と、
前記第１基板と当接するように配置された第１ダクトと、
前記第１基板に対して回転軸が略直交するように前記第１ダクトに取り付けられた冷却ファンと、を備えることを特徴とする撮像装置。
【請求項１１】
前記第１ダクトは、前記第１基板と略平行に配置されることを特徴とする請求項１０に記載の撮像装置。